(57)【要約】【課題】光ディスク搬送装置における光ディスクの挿入を円滑に行えるようにする。【解決する手段】フィードローラ９の中央部に嵌着するスリーブ１１と一体に光ディスクガイド部１７を設け、光ディスクＤの挿入時に、光ディスクＤの先端部を光ディスクガイド部１７によりフィードローラ９まで案内することにより、光ディスクＤを装置内に円滑に挿入する。また、光ディスクガイド部１７の両側に設けた取付穴をスリーブ支持部８に設けた突片に圧入して固定することにより、スリーブ１１がスリーブ支持部８内でのがたつきを防止し、異音の発生を防止する。【選択図】　図４
2004118936.tif 000002
【特許請求の範囲】
【請求項１】
ローラ軸の中央部にスリーブを嵌着し、その両側にゴムローラを嵌着したフィードローラと、前記フィードローラの両端部で前記ローラ軸を回転可能に支持するとともに、前記フィードローラ中央部のスリーブを支持するスリーブ支持部を有するフィード板とを備え、前記スリーブが、光ディスクを案内する光ディスクガイド部を一体に備えたことを特徴とする光ディスク搬送装置。
【請求項２】
前記フィード板のスリーブ支持部の両側に突片を備え、前記スリーブの光ディスクガイド部の両側に前記突片に圧入される取付穴を備えたことを特徴とする請求項１記載の光ディスク搬送装置。
【請求項３】
請求項１または請求項２記載の光ディスク搬送装置と、少なくとも光ディスク再生部または光ディスク記録部のいずれか一方を備えた光ディスク装置。
【発明の詳細な説明】
【０００１】
【発明の属する技術分野】
本発明は、光ディスク搬送装置およびこれを備えた光ディスク装置に関する。
【０００２】
【従来の技術】
従来、光ディスクを装置内に搬送し、また装置内から装置外に搬出するための光ディスク搬送装置として、ローラ軸にゴムローラを嵌着したフィードローラが用いられている（例えば、特許文献１参照）。ディスク搬送装置では、フィードローラと板金製の天板との間に光ディスクを挟み、フィードローラを回転させることにより、フィードローラと光ディスクとの摩擦力によって光ディスクを搬送している。
【０００３】
一方、近年では、特に車載用光ディスク再生装置においては、設置スペースの制約から、より一層の薄型化が要請されている。この場合、フィードローラの太さが薄型化の鍵の一つになっており、フィードローラの直径を細くすることにより薄型化が可能であるが、薄型化のために細くされたフィードローラは、その直径に比べて軸方向の長さがかなり長く、光ディスクを搬送する際には、光ディスクを押圧して前後方向と押圧方向への力を受けながら回転するので、その時に受ける負荷によって変形を受けやすい。そこで、図５に示すように、フィードローラ１０１のローラ軸１０２の中央部にスリーブ１０３を嵌着し、このスリーブ１０３を、フィード板１０４の中央部に形成したスリーブ支持部１０５により支持することで、ディスクＤをフィードローラ１０１と天板１０６とで挟持して搬送する際の負荷によるフィードローラ１０１の変形を防止することが行われている。
【０００４】
【特許文献１】
特開平１０−３１８５５号公報
【０００５】
【発明が解決しようとする課題】
しかしながら、上記した従来の光ディスク搬送装置では、スリーブ１０３を支持するためのスリーブ支持部１０５が、フィード板１０４の前端部中央部に下方に折り曲げて突出して形成されているため、フィード板１０４の本体部１０４ａとの間に隙間１０７が生じ、光ディスクＤの挿入角度によっては、光ディスクＤの先端部がスリーブ１０３にぶつかって挿入しにくいという問題があった。また、スリーブ１０３が円筒形状であるため、スリーブ支持部１０５内でスリーブ１０３の位置が定まらず、光ディスク装置が外乱等による振動を受けたときに、スリーブ１０３がスリーブ支持部１０５の中でがたついて、接触音が発生するという問題があった。
【０００６】
本発明は、このような従来の問題を解決するものであり、光ディスク挿入時に装置内に光ディスクを滑らかに挿入することのできる優れた光ディスク搬送装置およびこれを使用した光ディスク装置を提供することを目的とする。
【０００７】
【課題を解決するための手段】
上記目的を達成するため、本発明の光ディスク搬送装置は、ローラ軸の中央部にスリーブを嵌着し、その両側にゴムローラを嵌着したフィードローラと、前記フィードローラの両端部で前記ローラ軸を回転可能に支持するとともに、前記フィードローラ中央部のスリーブを支持するスリーブ支持部を有するフィード板とを備え、前記スリーブが、光ディスクを案内する光ディスクガイド部を一体に備えたことを特徴とする。この構成により、光ディスク挿入時に光ディスクガイド部が光ディスクを案内することによって、光ディスクを滑らかに挿入することができる。
【０００８】
また、本発明の光ディスク搬送装置は、前記フィード板のスリーブ支持部の両側に突片を備え、前記スリーブの光ディスクガイド部の両側に前記突片に圧入される取付穴を備えたことを特徴とする。この構成により、スリーブとフィード板のスリーブ支持部との接触音を防止することができる。
【０００９】
また、本発明は、上記した光ディスク搬送装置と、少なくとも光ディスク再生部または光ディスク記録部のいずれか一方を備えた光ディスク装置であり、光ディスクを滑らかに挿入できる光ディスク装置を提供できることとなる。
【００１０】
【発明の実施の形態】
以下、本発明の実施の形態について図面を参照して説明する。図１は本発明の実施の形態を示す光ディスク搬送装置のフィード板組立体の平面図であり、図２（ａ）は図１のＡ−Ａ線断面図、図２（ｂ）は図１の右側面図である。図１および図２において、フィード板１の両側部には、下方に折り曲げられた側板２、３が形成され、それぞれの後部側に軸受部である上部を開放した半円系の軸受溝４、５が形成され、前部の両側には回転支軸６、７が絞り加工によりそれぞれ外側に突出して形成されている。また、フィード板１は、その前端部中央部に、下方に折り曲げられた先端部に、上方に向けて折り曲げられた突片８ａと、この突片８ａの両側に、間隔ｄをおいて上方に向けて折り曲げられた突片８ｂ、８ｃとからなるスリーブ支持部８を備えている。フィードローラ９は、直径２ｍｍ程度の細いローラ軸１０の中央部に、光ディスクガイド部１７を一体に形成した樹脂製のスリーブ１１を嵌着し、このスリーブ１１の両側に両端部に向けて拡径したテーパ状のゴムローラ１２、１３を嵌着したものである。ローラ軸１０の両端部には、樹脂製の円筒状の軸受１４、１５が嵌着され、さらにその一方の端部にはギヤ１６が圧入されている。
【００１１】
図２（ａ）に示すように、フィード板１のスリーブ支持部８は、フィード板１の前端部中央部を下方に折り曲げてコ字状の凹部として形成され、スリーブ１１は、スリーブ支持部８の奥行寸法ｅよりも少し小さい寸法を有し、スリーブ支持部８の中に収まるように構成されている。フィード板８の突片８ａ、８ｂ、８ｃの高さｈは、スリーブ１１の高さよりも低く、光ディスクガイド部１７の高さは、スリーブ支持部８の底部からフィード板本体部１ａまでの高さ寸法ｆ以下で、かつ突片８ｂ、８ｃの高さｈ以上の寸法を有し、スリーブ１１の外周からフィード板本体部１ａまで斜面により繋がる形状を有する。また、光ディスクガイド部１７の両側に、図１に示すように、突片８ｂ、８ｃの幅ｄとほぼ等しい位置にそれぞれ取付穴１７ａ、１７ｂを有している。なお、スリーブ１１および光ディスクガイド部１７は、４弗化フルオロエチレン樹脂やシリコン樹脂などの光ディスクＤと接触したときに滑りやすい性質を有することが望ましい。
【００１２】
以上のように構成されたフィード板組立体の動作について説明する。フィードローラ９は、その中央部の光ディスクガイド部１７の取付穴１７ａ、１７ｂをフィード板１の突片８ｂ、８ｃに圧入し、さらにその両端部の軸受１４、１５をフィード板１両側の軸受溝４、５に押し込むことにより、フィード板１に回転可能に取り付けられる。フィード板１は、図３に示すように、車載用光ディスク再生装置のロアシャーシ２１に回動可能に支持され、フィードモータ２２からの回転力がギヤ列２３を介してギヤ１６に伝達されてフィードローラ９が回転し、その上部に配置されたアッパシャーシ（天板）と協働して光ディスクＤを矢印Ｂ方向に装置内に引き込む。その際、図４に示すように、スリーブ１１の手前側に挿入された光ディスクＤの先端部（矢印Ｂ方向における最外周部分）がスリーブ１１の光ディスクガイド部１７の上面の斜面に当たり、これに案内されてゴムローラ１２、１３まで案内されるので、光ディスクＤをフィードローラ９まで円滑に挿入することができる。そして光ディスクＤがフィードローラ９とアッパシャーシ２４の間に挟持されると、フィード板１の前端部が復帰ばねに抗して下方に押し下げられ、フィードモータ２２が回転してギヤ１６を介してフィードローラ９を回転させ、ゴムローラ１２、１３の摩擦力により光ディスクＤを記録再生部まで搬送する。この時、フィードローラ９には前後方向および下方向への圧力が加わるが、フィードローラ９は、その中央部のスリーブ１１がフィード板１のスリーブ支持部８に支持されているので、変形することなく、光ディスクＤを確実に搬送することができる。また、アッパシャーシ２４には、そのディスク挿入部の裏側にディスクガイドとなる３本の突条２５、２６、２７が、それぞれフィードローラ９側に向けて山形に突出するように、かつフィードローラ９と平行になるように形成され、さらに中央部から両側に向けて高くなるようにテーパ状に形成されているので、挿入された光ディスクＤは、中央部にセンタリングされながら記録再生部まで確実に搬送される。装置内に搬送された光ディスクＤは、図３に示すように、装置中央部のクランプ部２８によりターンテーブル上にクランプされ、スピンドルモータにより回転駆動されて、光ピックアップを有する光ディスク再生部により信号の読み取りが行われ、音楽またはデータの再生が行われる。
【００１３】
このように、本実施の形態によれば、フィードローラ９の中央部を支持するスリーブ１１に光ディスクガイド部１７を一体に形成し、光ディスクＤの挿入時に、光ディスクＤの先端部を光ディスクガイド部１７によりフィードローラ９に向けて案内することにより、光ディスクＤを装置内に滑らかに挿入することができる。また、光ディスクガイド部１７の両側に設けた取付穴１７ａ、１７ｂを、フィード板１のスリーブ支持部８に設けた突片８ｂ、８ｃに圧入して固定することにより、スリーブ１１が振動によりスリーブ支持部８内でがたつくことによる接触音の発生を防ぐことができる。なお、実使用上においては、スリーブ１１の貫通穴とローラ軸１０との間に僅かながら隙間が生じるため、装置の振動によってスリーブ１１とローラ軸１０との接触音を生じることがある。このため、例えばローラ軸１０の中心部がスリーブ支持部８から離れる方向に向かうように、ローラ軸１０を若干撓ませるなど、ローラ軸１０の軸中心線とスリーブ１１の貫通穴の軸中心線とが若干ずれるようなテンションがかかるように、ローラ軸１０とスリーブ１１とを設置することが望ましい。
【００１４】
なお、上記実施の形態では、本発明を車載用光ディスク再生装置のディスク搬送装置として説明したが、本発明は、一般の光ディスク再生装置または記録装置または記録再生装置に対しても適用できるものである。
【００１５】
【発明の効果】
以上説明したように、本発明の光ディスク搬送装置は、フィードローラの軸部中央部に嵌着するスリーブが、装置内に挿入された光ディスクの先端部を装置内に案内する光ディスクガイド部を一体に備えているので、この光ディスクガイド部が光ディスク挿入時に光ディスクをフィードローラまで案内することにより、光ディスクを装置内に滑らかに挿入することができるという効果を有する。また、光ディスクガイド部の両側に設けた取付穴をフィード板に設けた突片に圧入して固定することにより、スリーブとフィード板との接触による異音の発生を防ぐことができるという効果を有する。
【図面の簡単な説明】
【図１】本発明の実施の形態における光ディスク搬送装置のフィード板組立体の平面図
【図２】（ａ）図１のＡ−Ａ線断面図
（ｂ）図１の右側面図
【図３】本発明の実施の形態における車載用光ディスク再生装置の内部構成を示す概略平面図
【図４】本発明の実施の形態における光ディスク挿入時の状態を示す概略断面図
【図５】従来例における光ディスク搬送装置のディスク挿入時の状態を示す概略断面図
【符号の説明】
１　フィード板
２、３　側板
４、５　軸受溝
６、７　回転支軸
８　スリーブ支持部
８ａ、８ｂ、８ｃ　突片
９　フィードローラ
１０　ローラ軸
１１　スリーブ
１２、１３　ゴムローラ
１４、１５　軸受
１６　ギヤ
１７　光ディスクガイド部
２１　ロアシャーシ
２２　フィードモータ
２３　ギヤ列
２４　アッパシャーシ
２５、２６、２７　突条
２８　クランプ部
【図１】
2004118936.tif 000003
【図２】
2004118936.tif 000004
【図３】
2004118936.tif 000005
【図４】
2004118936.tif 000006
【図５】
2004118936.tif 000007